(57)【要約】【課題】金融パーツの最適組み合わせを演算処理することで顧客が予見する資金需要に対し適切なキャッシュフローと投資リスクを持つ金融ポートフォリオを生成出力するシステムをインターネット経由で提供する。【解決手段】コンピュータを用いて金融ポートフォリオを生成出力するシステムにおいて、顧客の資金需要の属性データを有する顧客データを生成し、顧客の資金需要を細分化し、細分化された各資金需要単位に対し顧客のリスク許容度を満たす金融パーツを選択し、選択した金融パーツを統合することによって金融ポートフォリオを生成し出力するシステム。【選択図】  図１
2007041901.tif 000002
【特許請求の範囲】
【請求項１】
顧客の資金需要の属性データとして、資金需要毎の項目と、発生期間と、リスク許容度又は顧客が予め指定した金融パーツと、資金需要額とをコンピュータに入力して、資金需要毎の属性データを有する顧客データを出力する顧客データの生成ステップと、
上記顧客データの各資金需要の属性データを基に、資金需要の発生期間を基にした時間要素と、リスク許容度を基にしたリスク度要素とによって資金需要を段階的に細分化し、該細分化した資金需要単位からなる資金需要サマリデータを出力する資金需要の細分化ステップと、
上記資金需要サマリデータの各細分化された資金需要単位毎に、前記コンピュータにより、データベースに記録されて、単一のポートフォリオを有する金融商品の最小単位からなる金融パーツ群の中から細分化された資金需要単位に対応するリスク許容度を満たす金融パーツを選択する金融パーツの選択ステップと、
前記コンピュータで、前記選択した金融パーツの現在価値と将来価値のデータを前記データベースから呼び出し、細分化された資金需要単位の資金需要額を前記金融パーツの将来価値で除算して金融ポートフォリオを生成するために必要な金融パーツの単位数を算出すると共に、前記資金需要額に前記金融パーツの現在価値を乗算して資金需要の現在価値を算出し、これらを基に金融パーツを統合した初期の金融ポートフォリオデータを生成する初期金融ポートフォリオの生成ステップと、
前記コンピュータで、上記初期の金融ポートフォリオデータを基に、金融ポートフォリオの期待収益率と、投資リスクまたは標準偏差を算出し、前記データベースから各金融パーツの売買手数料データを呼び出して売買手数料を算出し、これらをもとにした金融ポートフォリオ・サマリデータを出力する金融ポートフォリオの決定ステップとを有することを特徴とする金融ポートフォリオの生成方法。
【請求項２】
金融パーツの選択ステップが、データベースに顧客が要求するリスク許容度を満たす金融パーツが記録されていない場合に、コンピュータが備える合成パーツ生成ステップにより、前記リスク許容度を満たすように複数の金融パーツを組み合わせた合成パーツを生成し、該合成パーツを選択することを特徴とする請求項１に記載の金融ポートフォリオの生成方法。
【請求項３】
シンセサイズド・ポートフォリオの生成ステップがコンピュータに設けられており、顧客データの代わりとして、市販されている金融商品を基に、該金融商品と同一の期待収益率と、キャッシュフローと、投資リスクを有する金融ポートフォリオを生成してなることを特徴とする請求項１に記載の金融ポートフォリオの生成方法。
【請求項４】
シンセサイズド・ポートフォリオの生成ステップが、金融商品の購入価格とシンセサイズド・ポートフォリオの購入価格の差額を算出して出力することを特徴とする請求項３に記載の金融ポートフォリオの生成方法。
【請求項５】
コンピュータが、金融ポートフォリオ更新ステップを有しており、顧客データが更新されると、この更新された顧客データに基づき新たな金融ポートフォリオを生成し、金融ポートフォリオ・サマリを生成すると共に、更新するために売買が必要な金融パーツの種類および数量の一覧を生成することを特徴とする請求項１に記載の金融ポートフォリオの生成方法。
【請求項６】
コンピュータが、金融ポートフォリオ統合管理ステップを有しており、顧客が保有する金融商品をシンセサイズド・ポートフォリオに転換し、シンセサイズド・ポートフォリオおよび他の金融ポートフォリオを構成している金融パーツを統合して単独の金融ポートフォリオを生成し、保有する金融資産全体の期待収益率や投資リスクを演算し出力することを特徴とする請求項３に記載の金融ポートフォリオの生成方法。
【請求項７】
コンピュータが貸借／売買サポートステップを有しており、金融パーツと金融ポートフォリオを貸借または売買する際の投資損益と各種手数料をデータベースから呼び出して算出し出力することを特徴とする請求項１に記載の金融ポートフォリオの生成方法。
【請求項８】
コンピュータが、金融パーツの前提条件変更ステップを有しており、金融パーツの属性としてデータベースに記録されている期待収益率、投資リスク、他の金融パーツとの相関係数を変更しうることを特徴とする請求項１に記載の金融ポートフォリオの生成方法。
【請求項９】
データ入力装置と、演算プログラムが記憶されたメモリと、演算装置と、演算結果を出力する表示装置等を備えたコンピュータからなる金融ポートフォリオの生成システムであって、
顧客の資金需要の属性データとして、資金需要毎の項目と、発生期間と、リスク許容度又は指定された金融パーツと、資金需要額とをコンピュータに入力して、資金需要毎の属性データを有する顧客データを出力する顧客データの生成手段と、
上記顧客データの資金需要毎の属性データを基に、資金需要の発生期間を基にした時間要素と、リスク許容度を基にしたリスク度要素とによって資金需要を段階的に細分化し、該細分化した資金需要単位からなる資金需要サマリデータを出力する資金需要の細分化手段と、
上記資金需要サマリデータの各細分化された資金需要単位毎に、前記コンピュータにより、データベースに記録されて、単一のポートフォリオを有する金融商品の最小単位からなる金融パーツ群の中から細分化された資金需要単位に対応するリスク許容度を満たす金融パーツを選択する金融パーツの選択手段と、
前記コンピュータで、前記選択した金融パーツの現在価値と将来価値のデータを前記データベースから呼び出し、細分化された資金需要単位の資金需要額を前記金融パーツの将来価値で除算して金融ポートフォリオを生成するために必要な金融パーツの単位数を算出すると共に、各段階での資金需要額に前記金融パーツの現在価値を乗算して資金需要の現在価値を算出し、これらを基に金融パーツを統合した初期の金融ポートフォリオデータを生成する初期金融ポートフォリオの生成手段と、
前記コンピュータで、上記初期の金融ポートフォリオデータを基に、金融ポートフォリオの期待収益率と、投資リスクまたは標準偏差を算出し、前記データベースから各金融パーツの売買手数料データを呼び出して売買手数料を算出し、これらをもとにした金融ポートフォリオ・サマリデータを出力する金融ポートフォリオの決定手段とを有することを特徴とする金融ポートフォリオの生成システム。
【請求項１０】
金融パーツの選択手段が、データベースに顧客が要求するリスク許容度を満たす金融パーツが記録されていない場合に、コンピュータが備える合成パーツ生成手段により、前記リスク許容度を満たすように複数の金融パーツを組み合わせた合成パーツを生成し、該合成パーツを選択することを特徴とする請求項９に記載の金融ポートフォリオの生成システム。
【請求項１１】
シンセサイズド・ポートフォリオの生成手段がコンピュータに設けられており、顧客データの代わりとして、市販されている金融商品を基に、該金融商品と同一の期待収益率と、キャッシュフローと、投資リスクを有する金融ポートフォリオを生成してなることを特徴とする請求項９に記載の金融ポートフォリオの生成システム。
【請求項１２】
シンセサイズド・ポートフォリオ生成手段が、金融商品の購入価格とシンセサイズド・ポートフォリオの購入価格の差額を算出して出力することを特徴とする請求項１１に記載の金融ポートフォリオの生成システム。
【請求項１３】
コンピュータが、金融ポートフォリオ更新手段を有しており、顧客データが更新されると、この更新された顧客データに基づき新たな金融ポートフォリオを生成し、金融ポートフォリオ・サマリを生成すると共に、更新するために売買が必要な金融パーツの種類および数量の一覧を生成することを特徴とする請求項９に記載の金融ポートフォリオの生成システム。
【請求項１４】
コンピュータが、金融ポートフオリ統合管理手段を有しており、顧客が保有する金融商品をシンセサイズド・ポートフォリオに転換し、シンセサイズド・ポートフォリオおよび他の金融ポートフォリオを構成している金融パーツを統合して単独の金融ポートフォリオを生成し、保有する金融資産全体の期待収益率や投資リスクを演算し出力することを特徴とする請求項１１に記載の金融ポートフォリオの生成システム。
【請求項１５】
コンピュータが貸借／売買サポート手段を有しており、金融パーツと金融ポートフォリオを貸借または売買する際の投資損益と各種手数料をデータベースから呼び出して算出し出力することを特徴とする請求項９に記載の金融ポートフォリオの生成システム。
【請求項１６】
コンピュータが、金融パーツの前提条件変更手段を有しており、金融パーツの属性としてデータベースに記録されている期待収益率、投資リスク、他の金融パーツとの相関係数を変更しうることを特徴とする請求項９に記載の金融ポートフォリオの生成システム。
【発明の詳細な説明】
【技術分野】
【０００１】
本発明は顧客が予見する資金需要に対して適切なキャッシュフローと投資リスクとを併せ持つ金融ポートフォリオを生成出力する方法および、特に個人投資家へ投資アドバイスを行う際に好適なシステムに関するものである。
【背景技術】
【０００２】
インターネットの普及により、ユーザは容易にインターネット上のさまざまなサイトにアクセスし、情報のやり取りを行うことができるようになった。情報の普及は金融商品に対する顧客ニーズを多様化させると同時に、マス・マーケットを対象とした凡庸的な金融商品では顧客ニーズを十分に満たすことが難しくなり、金融商品を組み合わせることによって複雑な資金需要に対処できる金融ポートフォリオを構築する必要にせまられている。
【０００３】
顧客ニーズを満たす「最適」な金融ポートフォリオとは、顧客が予見する資金需要に対して適切なキャッシュフローと投資リスクを持っていること、金融ポートフォリオを構成する金融商品の情報開示が十分になされていること、期待されるキャッシュフローと投資リスクに見合う適正な価格であること、金融ポートフォリオの特性（期待収益率、投資リスク、キャッシュフロー等）を把握できること等の条件を満たすものであると考える。
【０００４】
しかしながら、従来の金融ポートフォリオサービスは、保有する金融商品をカテゴリーごとに分類し投資残高および時価総額を集計するものが大半を占め、顧客が予見する資金需要に対して適切なキャッシュフローと投資リスクを持つ金融ポートフォリオを生成出力するためのシステムは存在しなかった。
【０００５】
また、従来の金融商品に関する情報開示では金融商品を購入した場合に期待されるキャッシュフローと投資リスクを把握するのが難しい。例えば変額年金保険の場合、運用ポートフォリオにはリスク資産が含まれることが開示されているものの、「年金積立金を運用する際の詳細な投資方針」と年金積立金を運用する保険会社の財務体質の開示が不十分であり、顧客は変額年金保険を購入する前に変額年金保険の期待収益率と投資リスクを把握する機会を十分に与えられていない。
【０００６】
なお、前記「年金積立金を運用する際の詳細な投資方針」とは、運用対象となる有価証券、有価証券の期待収益率と投資リスク、アセットアロケーションを見直す頻度、過去の運用実績、運用担当者の人数および経験年数等を指す。
【０００７】
従来の金融商品に関する不十分な情報開示の下では、金融商品の内容よりも宣伝広告等で育成された企業イメージで金融商品を選択することがあり顧客は不利益を被ってきた。同時に強力なイメージを持たない企業にとって参入障壁となってきた。
【０００８】
金融機関が提示する金融商品の価格が適正であるかどうかを判断する客観的な判断基準を得られる機会が限られてきた。
【０００９】
複数の金融商品を一つの金融ポートフォリオとして把握するシステムが無く、顧客は保有する複数の金融商品を個別のものとして認識し投資全体の特性（期待収益率や投資リスク等）を把握することが困難であった上、キャッシュフローが重複する不必要な部分を修正する機会を逸してきた。  
【００１０】
一方、金融ポートフォリオを生成する手段として、特定の期待収益率に対し投資リスク（標準偏差）を最小とする有効フロンティア上のアセットミックスを最適であるとみなす方法もあるが、有効フロンティアの前提条件となる投資資産の期待収益率／標準偏差／相関係数の予測は、過去実績や将来予想からなる不特定多数の予測値が混在するうえ時間と共に変化するため、利用者である顧客の側から考えると有効フロンティア上のアセットミックスが常に最適であり続けるとする合理的な理由はみあたらない。
【発明の開示】
【発明が解決しようとする課題】
【００１１】
解決しようとする問題点は、従来の金融商品が顧客の予見する資金需要に対して適切なキャッシュフローと投資リスクを持っていない点と、金融商品の情報開示が十分でない点と、金融商品の価格が期待されるキャッシュフローと投資リスクに見合う適正な価格であるか判断できない点と、資金需要やリスク嗜好の変化を金融商品に反映できない点と、保有する複数の金融商品全体の特性（期待収益率、投資リスク、キャッシュフロー等）を把握できない点を解決することにある。
【課題を解決するための手段】
【００１２】
本発明は顧客が予見する複数の資金需要に対して適切なキャッシュフローと投資リスクを持つ金融ポートフォリオを生成出力する手段を提供する。
【００１３】
具体的には、資金需要を顧客の「リスク許容度」と時間軸で細分化し、細分化された各資金需要と同一のキャッシュフローおよびリスク許容度を満たす「金融パーツ」を金融ポートフォリオに組み入れ、新たな資金需要やリスク嗜好の変化に合わせて随時更新できる金融ポートフォリオを生成出力するシステムをコンピュータネットワークの一例としてのインターネット経由で顧客に提供することである。
【００１４】
なお、前記「リスク許容度」とは、１つの資金需要に対して顧客がどれくらいのリスクをとることができるかを示すもので、顧客とユーザとシステム間で共有する言語である。リスク許容度の表現方法にはリスクの有無、リスクの大／中／小、標準偏差等がある。
【００１５】
なお、前記「金融パーツ」とは、預金／株式／国債／投資信託／死亡保険／保険特約等のように、それ以上キャッシュフローを細分化できない基本的な金融商品や有価証券等を指す。
【００１６】
本発明は既述の最適金融ポートフォリオを生成出力する方法に加え、金融ポートフォリオのサマリ（期待収益率、投資リスク、キャッシュフロー等）を生成出力し情報開示を徹底する方法と、「シンセサイズド・ポートフォリオ」を生成し提示する方法と、金融商品とシンセサイズド・ポートフォリオの価格比較を生成し提示する方法と、顧客が保有する複数の金融商品を統合し単独の金融ポートフォリオとしてサマリ（期待収益率、投資リスク、キャッシュフロー等）を生成し提示する方法と、金融パーツと金融ポートフォリオの貸借／売買により発生する投資損益や手数料のサマリを生成し提示する方法と、を備えたシステムをインターネット経由で提供することで、本発明のユーザは顧客に対し金融ポートフォリオの生成・管理・運用においてフレキシブルで幅広いアドバイスを実施することを可能にする。
【００１７】
なお、前記「シンセサイズド・ポートフォリオ」とは、金融商品と同一のキャッシュフローおよび投資リスクを持つ金融ポートフォリオを指す。
【００１８】
次に課題を解決するための手段について概略を説明していく。先ず、最適な金融ポートフォリオを生成出力する手段についての概略を説明する。顧客はクライアントコンピュータを経て、顧客認証とアカウント情報の取り込みを行うが、この部分に関しては公知の事実であるため説明を省略する。顧客データの入力はコンピュータの備える顧客データ入力手段が誘導する提示画面に従って顧客がデータを入力する形式をとる。
【００１９】
アカウント情報を取り込んだ後、コンピュータの備える顧客データ生成手段が顧客データの入力画面を提示する。顧客は、資金需要項目、リスク許容度又は金融パーツの指定、資金需要の発生期間および金額等を入力する。
【００２０】
コンピュータの備える顧客データ生成手段が顧客データ・サマリを生成出力し、入力したデータが適切であるかを顧客に視認させる。データを修正する場合には、顧客データ・サマリ画面から顧客データの入力画面に戻りデータを修正し、顧客データ・サマリを再度視認する方法を経て顧客データの入力を終了する。
【００２１】
コンピュータの備える資金需要の細分化手段が顧客データを基に資金需要をリスク許容度と時間軸で細分化し、資金需要の発生時期／リスク許容度／資金額を含む資金需要サマリを生成し提示する。
【００２２】
顧客が金融パーツを指定している場合を除き、コンピュータの備える金融パーツの選択手段が細分化した各資金需要単位に対して顧客のリスク許容度を満たす金融パーツを選択し、顧客が要求するリスク許容度を満たす金融パーツが存在しない場合には「合成パーツ」を生成する。コンピュータの備える金融パーツの選択手段が金融パーツ・サマリを生成し、提示する。
【００２３】
なお、前記「合成パーツ」とは、複数の金融パーツからなる金融ポートフォリオのことである。顧客が要求する投資リスクを満たす金融パーツがデータベースより取得できない場合、コンピュータの備える合成パーツの生成手段が式１と式２を使って、合成パーツの期待収益率と金融パーツの配分比率を演算し、演算結果に従って合成パーツを生成する。
【００２４】
【数１】
2007041901.tif 000003
【００２５】
【数２】
2007041901.tif 000004
【００２６】
コンピュータの備える金融ポートフォリオの生成手段が、選択した金融パーツの現在価値と将来価値をデータベースから取得し、細分化された各資金需要単位を金融パーツの将来価値で除算して金融ポートフォリオを生成するために必要な金融パーツの単位数を演算し、細分化された各資金需要単位と金融パーツの現在価値を乗算して各資金需要単位の現在価値を演算した後、金融パーツを統合し初期の金融ポートフォリオを生成する。
【００２７】
選択した金融パーツの現在価値または将来価値をデータベースから取得できない場合には、コンピュータの備える金融ポートフォリオの生成手段が現在価値または将来価値を演算する。現在価値の演算には式３を使い、将来価値の演算には式４を使う。
【００２８】
【数３】
2007041901.tif 000005
【００２９】
【数４】
2007041901.tif 000006
【００３０】
コンピュータが備える金融ポートフォリオの決定手段が金融ポートフォリオの期待収益率／投資リスク（標準偏差）／売買手数料を演算し、金融ポートフォリオ・サマリを生成し提示して、最適な金融ポートフォリオを生成出力する一連の方法を終了する。
【００３１】
金融ポートフォリオを修正する場合には、金融ポートフォリオ・サマリ画面から顧客データの入力画面に戻りデータを修正し、新しい金融ポートフォリオを生成し、金融ポートフォリオ・サマリを再度視認する方法を経て金融ポートフォリオを決定する。
【００３２】
なお、コンピュータが備える金融ポートフォリオの決定手段は、金融ポートフォリオの期待収益率の演算には式１を使い、投資リスクの演算には式２を使い、金融ポートフォリオの売買手数料はデータベースから取得した各金融パーツの売買手数料データと単位数を乗算したものを合計して算出する。
【００３３】
なお、コンピュータが備える金融ポートフォリオの決定手段は、式１において金融パーツが３種類以上の場合であっても期待収益率を算出する概念は不変であるため、各金融パーツの配分比率と期待収益率を乗算したものを合計することで金融ポートフォリオ全体の期待収益率を演算する。
【００３４】
なお、コンピュータが備える金融ポートフォリオの決定手段は、式２において金融パーツが３種類以上の場合であっても投資リスクを算出する概念は不変であるため、先ず式２を用いて２種類の金融パーツからなる金融ポートフォリオの投資リスクを演算し、さらに式２を用いて前記金融ポートフォリオと３種類目の金融パーツから成る金融ポートフォリオの投資リスクを演算する方法を繰り返して、金融ポートフォリオ全体の投資リスクを演算する。
【００３５】
次に、コンピュータが備えるシンセサイズド・ポートフォリオの生成手段が、シンセサイズド・ポートフォリオを生成する方法について説明する。シンセサイズド・ポートフォリオと金融ポートフォリオの生成方法の違いは、資金需要項目とリスク許容度からなる詳細な顧客データの代わりに、金融商品の特性（期待収益率、標準偏差、キャッシュフロー等）を使用することである。資金需要の細分化から金融ポートフォリオを決定するまでの方法は、既述の金融ポートフォリオを生成出力する方法と同一であるため、詳細な説明については省略する。
【００３６】
次に、コンピュータが備える金融ポートフォリオの更新手段が、金融ポートフォリオを更新する方法について説明する。顧客データの更新はコンピュータの備える金融ポートフォリオの更新手段が誘導する提示画面に従って更新する形式をとる。コンピュータが備える金融ポートフォリオの更新手段は更新された顧客データに基づき、新たな金融ポートフォリオを生成し、金融ポートフォリオ・サマリを生成出力した後、更新するために売買が必要な金融パーツの種類および数量の一覧を生成し提示する。
【００３７】
次に、コンピュータが備える金融ポートフォリオの統合管理手段が、複数の金融ポートフォリオを統合管理する方法について説明する。
【００３８】
コンピュータが備える金融ポートフォリオの統合管理手段が、複数の金融ポートフォリオに含まれる金融パーツを統合し、単独の金融ポートフォリオを生成した後、金融ポートフォリオ・サマリを生成出力する。顧客は金融ポートフォリオ・サマリ見て金融ポートフォリオ全体の特性（期待収益率、投資リスク、キャッシュフロー）を視認する。金融ポートフォリオを修正する場合には、金融ポートフォリオ・サマリ画面からコンピュータが備える金融ポートフォリオの更新手段に従って金融ポートフォリオを更新し、金融ポートフォリオ・サマリを生成出力し、金融ポートフォリオ・サマリを視認する方法を経て金融ポートフォリオの統合管理を行う。
【００３９】
コンピュータが備える金融ポートフォリオの統合管理手段の対象が金融商品を含む場合には、コンピュータが備える既述のシンセサイズド・ポートフォリオの生成手段が生成したシンセサイズド・ポートフォリオを代用する。
【００４０】
次に、コンピュータが備える貸借／売買サポート手段が、保有する金融ポートフォリオと金融パーツの貸借売買をサポートする方法について説明する。貸借／売買サポート手段が顧客を誘導し初期画面のメニューの中から「貸借／売買する金融ポートフォリオ／金融パーツ」を選択させる。金融パーツを貸借する場合は、コンピュータが備える貸借／売買サポート手段がデータベースから金融パーツの貸借手数料および貸借料データを取得し、貸借／売買サマリを生成出力する。また金融ポートフォリオを貸借する場合には、コンピュータが備える貸借／売買サポート手段が金融ポートフォリオに含まれる全ての金融パーツの貸借手数料および貸借料を合計し貸借／売買サマリを生成出力する。
【００４１】
金融パーツを売買する場合は、コンピュータが備える貸借／売買サポート手段がデータベースから金融パーツの売買手数料および投資損益データを取得し、貸借／売買サマリを生成出力する。投資損益は時価から簿価を除することで演算する。金融ポートフォリオを売買する場合には、コンピュータが備える貸借／売買サポート手段が金融ポートフォリオに含まれる全ての金融パーツの売買手数料および投資損益を合計し貸借／売買サマリを生成出力する。
【００４２】
最後に、コンピュータが備える金融パーツの前提条件変更手段が、金融パーツの前提条件を変更する方法について説明する。金融パーツの前提条件変更手段が顧客を誘導して初期画面のメニューの中から「金融パーツの前提条件の変更」を選択させ、金融パーツ一覧を生成出力し、金融パーツ一覧画面にて顧客の要求に応じて金融パーツの前提条件（期待収益率、投資リスク、他の証券との相関係数等）を変更し、金融パーツ・サマリを生成出力する。
【００４３】
本発明のシステムは、インターネットを介してのクライアント・サーバ方式によっても実現できる。ユーザ（個人、ファイナンシャルプランナー、金融機関窓口等）コンピュータが金融ポートフォリオ生成サービスを提供する側のサーバに接続して、サーバの演算装置によって行われる演算結果をユーザコンピュータに表示する。なお、本発明において顧客または個人とは、金融ポートフォリオ最適化サービスを受ける消費者をいい、ユーザとは本発明のシステムを利用する個人、ファイナンシャルプランナー、或いは金融機関窓口の職員をいう。
【発明の効果】
【００４４】
顧客の資金需要が多様化する中、最大公約数的な金融商品で顧客ニーズを満たすのは困難であるが、本発明を使用することで適切なキャッシュフローと投資リスクを併せ持つ金融ポートフォリオを生成出力することができる。
【００４５】
金融ポートフォリオの価格は同一のキャッシュフローと投資リスクを持つ金融商品よりも安くなる。金融パーツはその特徴として単一のキャッシュフローしか持たないシンプルな構造で付加価値が低く手数料が安いため、金融パーツから成る金融ポートフォリオの手数料は安価に抑えることができる。さらに「パーツ会社」は独自店舗を持つこともマーケッティングを実施する必要も無いため店舗費／宣伝広告費／人件費を削減できることと、パーツ会社間の競争が促されることで、顧客は質の高い金融パーツを低価格で利用できることになる。
【００４６】
なお、前記「パーツ会社」とは、金融パーツを提供する金融機関のことである。
【００４７】
従来は保有する金融商品を個別のものとして取り扱ってきたが、複数の金融ポートフォリオを統合し単独の金融ポートフォリオを生成することで、顧客は保有する金融資産全体の特性（期待収益率、投資リスク、キャッシュフロー等）を把握できる。
【００４８】
金融パーツの種類と数量を変更することで、顧客の新たな資金需要やリスク嗜好の変化を金融ポートフォリオに反映することができる。
【００４９】
金融パーツ／金融ポートフォリオを貸借／売買する際の投資損益および手数料を演算し表示することで、資産運用の柔軟性を高められる。
【００５０】
金融商品を選択する際の要因には宣伝広告等による企業イメージが含まれており、企業イメージの浸透が十分でない金融機関にとって参入する際の障壁となってきた。本発明は金融機関がパーツ会社に徹することで、良好な企業イメージの育成が遅れている場合であっても市場への新規参入を容易にし、さらにマーケットシェアの拡大による利潤追求への道を開くことができる。
【発明を実施するための最良の形態】
【００５１】
本発明に係わる金融ポートフォリオ生成システム１００の実施形態を説明する。金融ポートフォリオ生成システム１００は、図１に示すとおり、クライアント１０５がインターネットを介して、この金融ポートフォリオ生成システム１００にアクセスし各情報のやりとりを行う中で動作するものである。
【００５２】
クライアント１０５のコンピュータ上からＷｅｂブラウザを使用しインターネットを介して金融ポートフォリオ生成システム１００にアクセスする形をとっているが、金融ポートフォリオ生成システム１００は、インターネットに限定されるという訳ではなく専用の回線、商用データ通信ネットワーク等によりクライアント１０５が金融ポートフォリオ生成システム１００にアクセスできる環境が整っていれば良い。
【００５３】
図１は金融ポートフォリオ生成システム１００の概略図である。本発明のシステムはクライアント１０５、コンサルティングサーバ１１０、コンテンツサーバ１１５、データベースサーバ１２０、データ更新サーバ１３５、外部情報システム１４０から構成される。なお、本実施形態では各種情報のやり取りにインターネットを使用するため、情報の暗号化を行いクライアントの入力した個人データのセキュリティーを確保する。
【００５４】
クライアント１０５はユーザ（本発明のシステムを利用する個人、ファイナンシャルプランナー、或いは金融機関窓口の職員等）を指し、インターネットで接続された自宅または職場等に置かれたコンピュータからＷｅｂブラウザを使用して金融ポートフォリオ生成システム１００へアクセスすることにより、最適な金融ポートフォリオを生成・分析する。
【００５５】
コンサルティングサーバ１１０は、インターネットに接続されているコンピュータであり、クライアント１０５に対する主要サービス（金融ポートフォリオ生成コンサルティング）を提供するサーバである。
【００５６】
コンサルティングサーバ１１０はクライアント１０５のコンピュータからＷｅｂブラウザを使用しインターネットを介してコンサルティングサーバ１１０にアクセスされる。ただし、コンサルティングサーバ１１０上の金融ポートフォリオを生成するためのコンサルティングを利用可能なクライアント１０５は、後に説明するコンテンツサーバ１１５上にあるユーザ認証を通ったもののみである。
【００５７】
ユーザはクライアント１０５からＷｅｂブラウザを介して「顧客データ」をコンサルティングサーバ１１０に送信する。顧客データとは生活費・祝い金・医療費・旅行費・住宅リフォーム費等の不連続な資金需要、各資金需要項目に対応する顧客のリスク許容度と資金需要の発生期間からなる資金需要情報、顧客の名前・性別・年齢・住所等の顧客情報、貯蓄額や現在保有している金融商品等の金融資産情報のことである。
【００５８】
コンサルティングサーバ１１０はクライアント１０５から送られてきた情報を自動的にデータベースサーバ１２０に登録すると共にコンサルティングサーバ１１０上で最適な金融ポートフォリオを生成し、その結果をクライアント１０５に送信する。  
【００５９】
また、シンセサイズド・ポートフォリオの生成、金融ポートフォリオの更新、複数の金融ポートフォリオおよび金融商品の統合管理、金融パーツや金融ポートフォリオの貸借・売買に伴う手数料と投資損益の計算、金融パーツの前提条件の変更等も、データベースサーバ１２０上に登録されている顧客データ１２５や金融商品情報１３０をもとにコンサルティングサーバ１１０が処理を行いその結果をクライアント１０５に送信する。
【００６０】
コンテンツサーバ１１５は、インターネットに接続されているコンピュータでありクライアント１０５に対する主要サービス（コミュニケーション）を提供するサーバの１つである。コンテンツサーバ１１５は、クライアント１０５のコンピュータからＷｅｂブラウザを使用しインターネット経由でコンテンツサーバ１１５にアクセスされる。
【００６１】
コンテンツサーバ１１５は、クライアント１０５が金融ポートフォリオ生成システム１００を使用するにあたり最初にアクセスするコンピュータである。この為、コンテンツサーバ１１５は金融ポートフォリオ生成システム１００を使用するクライアント１０５にとって受付的役割を行う。
【００６２】
データベースサーバ１２０はクライアント１０５が登録した顧客情報、外部情報システム１４０から取得した金融商品の情報及びその情報をもとに分析を行った情報を一元管理するデータベースサーバである。
【００６３】
データベースサーバ１２０はコンサルティングサーバ１１０、コンテンツサーバ１１５、が必要とする情報及び外部情報システム１４０から取得した金融情報等を加工し保存する。
【００６４】
データベースサーバ１２０は大きく顧客データ１２５、金融商品情報１３０の２つから構成される。
【００６５】
顧客データ１２５は金融ポートフォリオ生成システム１００を利用するクライアント１０５のユーザ認証用のデータ（ＩＤ・パスワード等）、コンサルティングで必要になる過去の資金需要計画、名前・性別・年齢・住所等の顧客情報、現在の貯蓄額、現在保有している金融商品等の金融資産情報等のデータが保存されておりコンテンツサーバ１１５でログイン認証する場合等、必要に応じてデータを提供する。
【００６６】
金融商品情報１３０は、外部情報システム１４０から取得した金融商品の情報（価格、純資産額等）やデータ更新サーバ１３５で分析・加工された情報（類似する金融パーツにおいて期待収益率・投資リスク・相関係数等の前提条件を比較したもの、主要インデックスのパフォーマンス等）が保存されており、コンサルティングサーバ１１０でコンサルティングを行う場合やコンテンツサーバ１１５から金融商品の情報紹介を行う場合等、要求に応じてデータを供給する。
【００６７】
データ更新サーバ１３５は、金融機関や金融情報機関等の外部情報システム１４０より提供される情報をもとにデータベースサーバ１２０の中にある金融商品情報１３０へ分析・加工したデータを保存する。金融商品間または金融商品とインデックス間の相関係数やパフオーマンスを計算するのもデータ更新サーバ１３５で行われる。データ取得に関してはデータベース更新サーバ１３５から外部情報システム１４０へインターネットや専用回線で接続して各種情報を取得する。
【００６８】
外部情報システム１４０は金融商品情報を提供する金融情報会社や金融機関等の外部の情報提供会社を指す。
【００６９】
次に図２を参照して、本発明の特徴を実施することができる例示的クライアント１０５またはサーバを表すコンピュータシステム２００を説明する。コンピュータシステム２００は情報を通信するためのバス２０５と、バス２０５に結合された、情報を処理するための中央処理装置２１０などの処理手段とを備える。中央処理装置２１０によって実行される情報および命令を記憶するためのメインメモリ２１５を備える。メインメモリ２１５は中央処理装置２１０によって命令を実行している間、一時変数や他の中間情報を記憶するために使用することもできる。コンピュータシステム２００はバス２０５に結合された、中央処理装置２１０用の静的情報および命令を記憶するための読取専用メモリ２２０および大容量記憶装置２２５を備える。
【００７０】
さらにコンピュータシステム２００は、バス２０５を介してユーザに情報を表示するための表示装置２３０、データを入力するための装置としてキーボード２３５とマウス２４０、表示装置２３０上でカーソルの動きを制御するカーソル制御装置２４５、データの送受信をする通信装置２５０、表示装置２３０に表示された結果レポート等を印字するプリンター２５５を備える。
【００７１】
図３は本発明の一実施形態を使用することができる生成管理システム３００を示す概略ブロック図である。一般に、生成管理システム３００は、ユーザ・インターフェイス３４０から入力データを受け取り、金融ポートフォリオの生成等のデータをユーザインターフェイス３４０に提供するコンサルティングモジュール３３５を含む。図示される実施形態によれば、金融ポートフォリオ生成モジュール３０５、シンセサイズド・ポートフォリオ生成モジュール３１０、金融ポートフォリオ更新モジュール３１５、金融ポートフォリオ統合管理モジュール３２０、金融パーツ・金融ポートフォリオの貸借・売買モジュール３２５、金融パーツの前提条件変更モジュール３３０を含む。
【００７２】
金融ポートフォリオ生成モジュール３０５は、顧客データをもとに適正なキャッシュフローとリスク許容度を持つ金融ポートフォリオを生成する。資金需要の細分化、金融パーツの選択、合成パーツの生成、金融ポートフォリオ・サマリの生成出力等も金融ポートフォリオ生成モジュール３０５に含まれる。
【００７３】
シンセサイズド・ポートフォリオ生成モジュール３１０は、データベースサーバ１２０の顧客データ１２５から顧客情報と金融商品情報１３０から顧客が選択した金融商品の期待収益率・投資リスク・キャッシュフロー等の情報を取得した後、金融ポートフォリオ生成モジュール３０５を使ってシンセサイズド・ポートフォリオを生成する。
【００７４】
金融ポートフォリオ更新モジュール３１５は、金融ポートフォリオ生成モジュール３０５が更新した顧客データ（新たな資金需要やリスク嗜好の変化）を使って金融ポートフォリオを生成し、更新するために売買が必要な金融パーツの種類および数量の一覧を生成し提示する。
【００７５】
金融ポートフォリオ統合管理モジュール３２０は、顧客が保有する複数の金融ポートフォリオや金融商品を統合し、顧客の金融資産全体の特性（期待収益率、投資リスク、キャッシュフロー等）を示す金融ポートフォリオ・サマリを生成し提示する。金融商品を統合する場合には、シンセサイズド・ポートフォリオ生成モジュール３１０で金融商品のシンセサイズド・ポートフォリオを生成し代用する。
【００７６】
金融パーツ・金融ポートフォリオの貸借・売買モジュール３２５は、データベースサーバ１２０の顧客データ１２５から顧客の金融パーツ・金融ポートフォリオの保有明細情報と金融商品情報１３０から金融商品の時価・各種手数料等の情報を取得した後、金融パーツと金融ポートフォリオの貸借・売買を行うことによって発生する手数料や投資損益を演算し表示する。
【００７７】
金融パーツの前提条件変更モジュール３３０は、金融商品情報１３０に登録されている金融情報（金融パーツの期待収益率、投資リスク、相関係数）を顧客の要望に応じて変更する時に使うモジュールである。変更した内容は顧客独自の設定としてデータベースサーバ１２０上に登録され、全てのモジュール（金融ポートフォリオ生成モジュール３０５、シンセサイズド・ポートフォリオ生成モジュール３１０、金融ポートフォリオ更新モジュール３１５、金融ポートフォリオ統合管理モジュール３２５）で使用される。  
【実施例１】
【００７８】
図４は本特許の基本と成る金融ポートフォリオを生成する際の概略を表している。図４のフローチャートは顧客データの生成（ＳＴＥＰ４００）、資金需要の細分化（ＳＴＥＰ５００）、金融パーツの選択（ＳＴＥＰ６００）、初期金融ポートフォリオの生成（ＳＴＥＰ７００）、金融ポートフォリオの決定（ＳＴＥＰ８００）から成り立っており、ステップごとにフローチャートおよび参照図を使って説明していく。
【００７９】
図５のフローチャートはＳＴＥＰ４００において顧客データを生成する方法の一例を示している。ＳＴＥＰ４０５は、サインオン画面を提示し、ＩＤ／パスワードを受付けて顧客認証を行い、コンテンツサーバ１１５からアカウント情報を取り込んだ後、クライエント１０５の表示画面に図６の初期画面を提示する手段を指す。サインオン画面からアカウント情報を取り込むまでの方法は公知であり詳細は省略する。
【００８０】
図６によると初期画面には６種類のメニュー（「金融ポートフォリオの生成」、「シンセサイズトド・ポートフォリオの生成」、「金融ポートフォリオの更新」、「金融ポートフォリオの統合管理」、「金融パーツ／金融ポートフォリオの貸借／売買サポート」、「金融パーツの前提条件の変更」）と各メニューにアクセスした最後の期日が表示されている。
【００８１】
ＳＴＥＰ４１０は、顧客データの入力手段である。図６が示す初期画面上の「金融ポートフォリオの生成」をクリックすると、クライエント１０５の表示画面に図７の「顧客データの入力」画面（一例）が表示される。顧客は表示画面に従って資金需要項目、投資リスクまたは金融パーツの指定、資金需要の発生期間、金額を入力する。資金需要項目は生活費・医療費・旅行費等のように顧客が自由に設定し入力できる。
【００８２】
投資リスクは、図７が示す顧客データの入力画面にある「リスク許容度の一覧」をクリックして図８（一例）を表示し、各資金需要について顧客の要求を満たすリスク許容度を選択する。
【００８３】
リスク許容度を選択する代わりに予め金融パーツを選択することもできる。図７の顧客データの入力画面にある「金融パーツの一覧」をクリックして図９（一例）を表示し、金融パーツのカテゴリー／期待収益率／投資リスク／相関係数／流動性／パーツ会社情報を基に、各資金需要にあった金融パーツを選択する。また、図９の「金融パーツの一覧」画面で「グラフを見る」をクリックすると、金融パーツの期待収益率をＹ軸、投資リスク（１標準偏差）をＸ軸とする図１０のグラフ（一例）が表示されるため、顧客は金融パーツの期待収益率と投資リスクの関係を視認できる。顧客データの入力を終えると、図７の「顧客データの入力終了」をクリックし、顧客データの入力を終了する。
【００８４】
ＳＴＥＰ４１５は顧客データ・サマリの生成出力手段であり、ＳＴＥＰ４１０で顧客データの入力を終了した後、図１１の「顧客データ・サマリ」（一例）を生成し提示する。顧客データ・サマリは資金需要の発生期間、資金需要項目、リスク許容度、資金需要（将来価値）、資金需要総額（将来価値）を含む。
【００８５】
ＳＴＥＰ４２０は顧客データを修正するか判断する手段である。図１１の顧客データ・サマリを顧客が視認し入力データに誤りがある場合は、図１１の「修正有」をクリックしてＳＴＥＰ４１０に戻り図７の顧客データの入力画面でデータを修正する。修正が不要である場合には、図１１の「次へ進む」をクリックしてＳＴＥＰ４２５へ進む。
【００８６】
ＳＴＥＰ４２５は顧客データをデータベースに保存する手段である。ＳＴＥＰ４２０を経て顧客データが完成した後、顧客データ・サマリの内容をデータベース１２０の中の顧客データ１２５に保存し、顧客データの生成手段が終了する。
【００８７】
次に資金需要の細分化手段について説明する。図４のＳＴＥＰ５００における資金需要をリスク許容度と時間軸で細分化する手段を図１２のフローチャートを一例として示す。先ず、ＳＴＥＰ５０５はデータベース１２０の中の顧客データ１２５から顧客データを取得し、各資金需要を発生時期とリスク許容度で細分化する。図１３は資金需要の細分化手段が資金需要を細分化する概念を示す一例である。図１３は投資リスクと時間軸で資金需要を該当する８個のセルに分類し、各セルに番号を付与している。即ち、発生時期毎（図示例では年度毎）にリスク許容度の異なる資金需要がある場合には、予め一定の段階（図示では６段階とする）に分けたリスク許容度毎に、資金需要額をまとめて１つの資金需要単位（セル）として表示し、発生時期毎に分類する。セルで分類された資金需要単位は発生時期とリスク許容度で他の資金需要単位から完全に分離されている。
【００８８】
資金需要の細分化が終了した後、ＳＴＥＰ５１０は図１４の資金需要サマリ（一例）を表示し、顧客は細分化された資金需要単位の発生時期、リスク許容度、資金需要を視認する。
【００８９】
ＳＴＥＰ５１５は、細分化した資金需要単位のデータを顧客データ１２５に保存し資金需要の細分化手段を終了する。
【００９０】
次に金融パーツの選択手段について説明する。図４のＳＴＥＰ６００における金融パーツの選択手段について図１５のフローチャート（一例）を用いて説明する。
【００９１】
先ず、ＳＴＥＰ６０５は金融パーツ選択手段が、顧客データ１２５から細分化した資金需要単位データを取得する。ＳＴＥＰ６１０は取得した資金需要単位毎において顧客が予め金融パーツを指定しているかを確認する。顧客が金融パーツを指定している場合には、資金需要データと金融パーツが対になったデータをＳＴＥＰ６２５の金融パーツ・サマリの生成出力手段に送る。顧客が金融パーツを指定していない場合には、ＳＴＥＰ６１５で顧客が要求するリスク許容度を満たす適切な金融パーツが存在するか確認する。適切な金融パーツが存在する場合には、ＳＴＥＰ６２０で金融パーツを選択しデータをＳＴＥＰ６２５の金融パーツ・サマリの生成出力手段に送る。また、適切な金融パーツが存在しない場合には、ＳＴＥＰ６４０で金融パーツの代替となる合成パーツを生成しデータをＳＴＥＰ６２５の金融パーツ・サマリの生成出力手段に送る。
【００９２】
ＳＴＥＰ６２５は金融パーツ・サマリを生成出力する手段であり、全ての資金需要に対し金融パーツまたは合成パーツの選択が終了した後、選択された金融パーツのデータを基に図１６を一例とする金融パーツ・サマリを生成し提示する。金融パーツ・サマリは金融パーツの種類、期待収益率、投資リスク、流動性、資金需要（将来価値）からなる。
【００９３】
ＳＴＥＰ６３０は金融パーツの選択を修正するか判断する手段であり、金融パーツの選択を修正しない場合には図１６の金融パーツ・サマリ上の「次に進む」をクリックして、金融パーツの決定へと進む。金融パーツの選択を修正する場合には、図１６の「修正有」をクリックして、ＳＴＥＰ６９０の顧客データの入力画面に戻りデータを修正する。全ての金融パーツの選択が終了したら、ＳＴＥＰ６３５で金融パーツを決定し、決定した金融パーツのデータを顧客データ１２５に保存する。
【００９４】
図１５の金融パーツ選択手段におけるＳＴＥＰ６４０の合成パーツの生成手段について図１７のフローチャート（一例）を使って説明する。合成パーツは顧客の要求するリスク許容度を持つパーツを生成するために複数の金融パーツから合成するものである。
【００９５】
ＳＴＥＰ６４５は２種類の金融パーツを選択する手段である。ＳＴＥＰ６４５で選択する金融パーツには、投資リスクが顧客の要求するリスク許容度を上回る金融パーツと下回る金融パーツが含まれる。
【００９６】
ＳＴＥＰ６５０は金融パーツの配分比率を演算する手段であり、式２を使って合成パーツを生成するために選択した２種類の金融パーツの配分比率を演算する。
【００９７】
ＳＴＥＰ６５５は合成パーツ・サマリの生成出力手段である。図１８は一例であるが、合成パーツの生成に必要な金融パーツの名称、期待収益率、投資リスク、相関係数、パーツ会社情報からなる合成パーツ・サマリを生成し提示する。
【００９８】
ＳＴＥＰ６６０は合成パーツを修正するか判断する手段である。修正しない場合には、合成パーツを決定し、ＳＴＥＰ６６５で合成パーツの生成データを顧客データ１２５に保存する。修正する場合には図１８上の「修正有」をクリックし、ＳＴＥＰ６７０で顧客データの入力画面へ戻り、顧客データを修正する。
【００９９】
次に初期金融ポートフォリオの生成手段について説明する。図４のＳＴＥＰ７００における初期金融ポートフォリオの生成手段について図１９のフローチャート（一例）を用いて説明する。
【０１００】
ＳＴＥＰ７０５は選択した金融パーツのデータの取得およびデータを演算・加工する手段であり、データベースから金融パーツの現在価値データと将来価値データを取得する。現在価値データを取得できない場合には式３を使って現在価値を演算し、将来価値データを取得できない場合には式４を使って将来価値を演算し、演算結果を顧客データ１２５に保存する。
【０１０１】
ＳＴＥＰ７１０は金融パーツの単位数を演算する手段であり、細分化された各資金需要を金融パーツの将来価値で除算し、金融ポートフォリオを生成するために必要な金融パーツの単位数を演算する。また、ＳＴＥＰ７１０は金融パーツの単位数と金融パーツの現在価値を乗算して対応する資金需要単位の現在価値を演算する。演算結果は顧客データ１２５に保存する。
【０１０２】
ＳＴＥＰ７１５は初期金融ポートフォリオを生成する手段であり、金融ポートフォリオを生成するために必要な全ての金融パーツを統合して初期金融ポートフォリオを生成する。
【０１０３】
次に金融ポートフォリオの決定手段について説明する。図４のＳＴＥＰ８００における金融ポートフォリオの決定手段について図２０のフローチャート（一例）を用いて説明する。
【０１０４】
ＳＴＥＰ８０５は金融ポートフォリオの期待収益率を演算する手段であり、金融パーツの期待収益率と配分比率から式１を用いて、金融ポートフォリオの期待収益率を演算する。選択した金融パーツおよびまたは合成パーツが３種類以上の場合であっても、式１の概念は同じであり、それぞれの配分比率と期待収益率の積を合計することで金融ポートフォリオの期待収益率を演算してデータを顧客データ１２５に保存する。
【０１０５】
ＳＴＥＰ８１０は金融ポートフォリオの投資リスクを演算する手段であり、金融パーツの投資リスクと相関係数から式２を用いて金融ポートフォリオ全体の投資リスクを計算する。選択した金融パーツおよびまたは合成パーツが３種類以上の場合であっても式２の概念は同じである。まず、式２を用いて２種類の金融パーツおよびまたは合成パーツからなる金融ポートフォリオの投資リスクを演算し、さらに式２を用いて前記金融ポートフォリオと３種類目の金融パーツまたは合成パーツから成る金融ポートフォリオの投資リスクを演算する作業を繰り返して、金融ポートフォリオ全体の投資リスクを演算してデータを顧客データ１２５に保存する。
【０１０６】
ＳＴＥＰ８１５は金融ポートフォリオの購入手数料を演算する手段であり、金融パーツの１単位あたりの手数料と単位数の積を合計して金融ポートフォリオの手数料を演算して購入手数料データを顧客データ１２５に保存する。
【０１０７】
ＳＴＥＰ８２０は金融ポートフォリオ・サマリを生成出力する手段であり、図２１の金融ポートフォリオ・サマリ（一例）を生成し提示する。図２１によれば、金融ポートフォリオ・サマリは金融ポートフォリオの時価総額推移と±１標準偏差をリスクの範囲とする時価総額の上限と下限を示すグラフ、金融ポートフォリオの期待収益率と投資リスクを時系列で示す表、各金融パーツの時価総額推移と±１標準偏差をリスクの範囲とする時価総額の上限と下限を示す表、金融ポートフォリオの購入価格を示す表、シンセサイズド・ポートフォリオの場合には対応する金融商品の購入価格との比較を示す表からなる。
【０１０８】
ＳＴＥＰ８２５は金融ポートフォリオを修正するか判断する手段である。修正しない場合には、金融ポートフォリオを決定し、ＳＴＥＰ８３０で金融ポートフォリオのデータを顧客データ１２５に保存し、金融ポートフォリオの生成を終了する。修正する場合には図２１上の「修正有」をクリックし、ＳＴＥＰ８３５で顧客データの入力画面へ戻り、顧客データを修正する。
【０１０９】
次に「シンセサイズド・ポートフォリオ」を生成する手段について図２２のフローチャート（一例）を使って概略を説明する。
【０１１０】
ＳＴＥＰ９０５は顧客データの生成手段である。図６は初期画面の一例であるが、「シンセサイズド・ポートフォリオの生成」をクリックすると、図２３の「顧客データの入力」画面（一例）が表示される。シンセサイズド・ポートフォリオは金融商品と同一の特性を持つ金融ポートフォリオであるため、顧客データの入力は投資希望金額がメインであり、また、保険商品が含まれる場合には保険金額と被保険者の年齢等の保険加入に必要とされる項目等を入力する。
【０１１１】
ＳＴＥＰ９１０は金融商品の検索手段である。図２４は一例であるが、金融商品の検索画面を示している。金融商品名の一部を入力して検索する方法と、金融商品を販売している会社名と商品カテゴリーを入力して検索する方法等と、を利用して商品名を検索する。
【０１１２】
ＳＴＥＰ９１５はシンセサイズド・ポートフォリオの生成手段である。ＳＴＥＰ９０５で取得した顧客データとデータベースから取得した金融商品の特性データ（期待収益率、投資リスク、キャッシュフロー等）を使い、既述の金融ポートフォリオ生成手段を使って金融ポートフォリオを生成する。
【０１１３】
ＳＴＥＰ９２０は金融ポートフォリオ・サマリの生成手段である。図２１の金融ポートフォリオ・サマリを生成し表示する。
【０１１４】
ＳＴＥＰ９２５はシンセサイズド・ポートフォリオの決定手段である。顧客に金融ポートフォリオ・サマリを視認させた後、シンセサイズド・ポートフォリオを決定し、データを顧客データ１２５に保存し、シンセサイズド・ポートフォリオの生成手段を終了する。
【０１１５】
次に金融ポートフォリオを更新する手段について図２５のフローチャート（一例）を使って概略を説明する。
【０１１６】
ＳＴＥＰ１００５は顧客データの更新手段である。先ず、図６の初期画面で「金融ポートフォリオの更新」を選択し、図２６の保有明細（一例）から更新する金融ポートフォリオを選択し、顧客データを更新する。
【０１１７】
ＳＴＥＰ１０１０は金融ポートフォリオの生成手段であり、更新した顧客情報を用いて金融ポートフォリオを生成する。ＳＴＥＰ１０１５は金融ポートフォリオ・サマリの生成手段であり、更新した顧客データを基に生成した新しい金融ポートフォリオの金融ポートフォリオ・サマリ（図２１）を生成し提示する。
【０１１８】
ＳＴＥＰ１０２０は金融ポートフォリオを修正するか判断する手段である。修正しない場合には、金融ポートフォリオを決定し、図２７を一例とするＳＴＥＰ１０２５で更新に必要な金融パーツの売買一覧を生成表示し、データを顧客データ１２５に保存し、金融ポートフォリオの更新を終了する。修正する場合には図２７上の「修正有」をクリックし、ＳＴＥＰ１００５の顧客データの更新画面に戻り、顧客データを修正する。
【０１１９】
次に複数の金融ポートフォリオおよびまたは金融商品を統合管理する手段について図２８のフローチャート（一例）を使って概略を説明する。
【０１２０】
ＳＴＥＰ１１０５は統合管理する金融ポートフォリオと金融商品を選択する手段であり、図２６の保有明細から統合管理する金融ポートフォリオと金融商品を選択する。
【０１２１】
ＳＴＥＰ１１１０は選択した金融ポートフォリオの中に金融商品が含まれるか判断する手段である。金融商品が含まれる場合にはＳＴＥＰ１１３５で金融商品のシンセサイズド・ポートフォリオを生成する。
【０１２２】
ＳＴＥＰ１１１５は金融ポートフォリオの統合手段であり、金融ポートフォリオに含まれている金融パーツを統合し単独の金融ポートフォリオを生成する。
【０１２３】
ＳＴＥＰ１１２０は金融ポートフォリオの特性を演算する手段であり、統合された金融ポートフォリオの特性（期待収益率、投資リスク、キャッシュフロー）を演算する。
【０１２４】
ＳＴＥＰ１１２５は金融ポートフォリオを生成する手段であり、ＳＴＥＰ１１２０で生成した演算結果をもとに図２１の金融ポートフォリオ・サマリを生成する。
【０１２５】
ＳＴＥＰ１１３０は選択した金融ポートフォリオを修正するか判断する手段であり、修正しない場合は、複数の金融ポートフォリオおよびまたは金融商品を統合管理する手段を終了し、データを顧客データ１２５に保存する。
【０１２６】
ＳＴＥＰ１１４０は金融ポートフォリオを修正する手段であるが、金融ポートフォリオを修正する場合には、図６の初期画面で「金融ポートフォリオの更新」を選択し、特定した金融ポートフォリオの修正を行う。
【０１２７】
次に金融ポートフォリオ／金融パーツの貸借／売買を実施する手段について、図２９のフローチャート（一例）を用いて概略を説明する。
【０１２８】
ＳＴＥＰ１２０５は保有明細から金融ポートフォリオ／金融パーツを選択する手段であり、図２６および（図２６にリンクしている）図３０の保有明細（一例）から金融ポートフォリオ／金融パーツを選択する。
【０１２９】
ＳＴＥＰ１２１０は貸借売買手数料と投資損益を演算する手段である。データベース１２０の金融商品情報１３０から金融パーツの貸借売買手数料と投資損益データを取得し、顧客データ１２５から取得した単位数を乗算して貸借売買手数料と投資損益を演算する。金融ポートフォリオの貸借売買手数料と投資損益は金融パーツの貸借売買手数料と投資損益を合計して算出する。
【０１３０】
ＳＴＥＰ１２１５は金融ポートフォリオ／金融パーツの貸借／売買サマリを生成する手段であり、ＳＴＥＰ１２１０で演算した結果をもとに図３１の貸借／売買サマリ（一例）を生成し提示する。
【０１３１】
ＳＴＥＰ１２２０は貸借／売買サマリを修正するか判断する手段であり、顧客に貸借／売買・サマリを視認させて修正するか判断する。ＳＴＥＰ１２２５は金融ポートフォリオ／金融パーツの貸借／売買を決定する手段であるが、データを修正しない場合には図３１の「終了」アイコンをクリックして金融ポートフォリオ／金融パーツの貸借／売買手段を終了し、データを顧客データ１２５に保存する。修正する場合には、図３１の「修正有」アイコンをクリックし保有明細の表示画面に戻る。
【０１３２】
最後に、金融パーツの前提条件を変更する方法について、図３２のフローチャート（一例）を用いて概略を説明する。
【０１３３】
ＳＴＥＰ１３０５は金融パーツ一覧の提示手段であり、図９を一例とする金融パーツの一覧を提示する。ＳＴＥＰ１３１０は金融パーツの前提条件変更手段であり、図９の「前提条件の変更」アイコンをクリックして金融パーツの前提条件を変更し、前提条件を更新した新しい金融パーツの一覧を生成し提示する。
【０１３４】
ＳＴＥＰ１３１５は更新した金融パーツの前提条件を修正するか判断する手段であり、顧客に図９の金融パーツの一覧を視認させて修正するか判断する。ＳＴＥＰ１３２０は金融パーツの前提条件を決定する手段であるが、データを修正しない場合には図９の「終了」アイコンをクリックして金融パーツの前提条件の変更手段を終了し、データを顧客データ１２５に保存する。修正する場合には、図９の「前提条件の変更」アイコンをクリックし保有明細の表示画面に戻る。
【０１３５】
上述の明細書において、本発明をその特定の実施形態に関して説明してきた。しかし、本発明のより広い精神および範囲を逸脱することなく、様々な修正および変更を加えられることは明らかである。したがって、明細書と図面は限定するものとしてではなく例示としてみなされるべきである。
【産業上の利用可能性】
【０１３６】
金融パーツは預金／株式／国債／投資信託／死亡保険／保険特約等の一般的に流通している基本的な金融商品や有価証券等であり、金融パーツの供給は潤沢である。
【０１３７】
ファイナンシャルプランナーや金融機関窓口等のユーザにとって金融パーツは従来から取り扱ってきた金融商品であるため、本発明は短期間のうちに多くの金融機関で受け入れられ広範囲に渡って利用される可能性が高い。
【０１３８】
消費者の潜在的なニーズを満たしており、本発明は巨大な金融市場の創造を促す可能性が高い。一般的に金融商品の仕組みは複雑であり金融商品を購入することで得られるキャッシュフローと投資リスクを十分に理解するのは困難な場合が多かった。さらに購入価格がキャッシュフローと投資リスクに見合ったものであるかを判断する客観的な材料が乏しく消費者は不利益を被ってきた。本発明を利用することで、顧客の要求するキャッシュフローと投資リスクを反映した金融ポートフォリオを生成／管理／運用できる上、購入価格は安価に抑えられるという利点を持っている。
【図面の簡単な説明】
【０１３９】
【図１】本発明の一実施形態によるハードウエアシステムのブロック図である。
【図２】本発明の一実施形態を実施することができるコンピュータシステムの例を示す図である。
【図３】本発明のユーザ・インターフェイスを使用することができる金融ポートフォリオ生成システムの一実施形態を示す概略ブロック図である。
【図４】本発明の一実施形態による「金融ポートフォリオ生成システム」に係る概略的な処理の流れを説明するためのフローチャートである。
【図５】本発明の一実施形態により顧客データの生成手段を説明するためのフローチャートである。
【図６】本発明のサービスメニューを選択する初期画面の一実施形態を示す図である。
【図７】本発明の「顧客データ」を入力する画面の一実施形態を示す図である。
【図８】本発明の「リスク許容度一覧」を表示する画面の一実施形態を示す図である。
【図９】本発明の「金融パーツの一覧」を表示する画面の一実施形態を示す図である。
【図１０】本発明の図９で表示された金融パーツの期待収益率と投資リスク（１標準偏差）の関係をグラフ化したものを表示する画面の一実施形態を示す図である。
【図１１】本発明の「顧客データ・サマリ」を表示する画面の一実施形態を示す図である。
【図１２】本発明の一実施形態によりキャッシュフローを細分化する手段を説明するためのフローチャートである。
【図１３】本発明の「キャッシュフローの細分化」の概略を表示する画面の一実施形態を示す図である。
【図１４】本発明の「資金需要サマリ」を表示する画面の一実施形態を示す図である。
【図１５】本発明の一実施形態により金融パーツを選択する手段を説明するためのフローチャートである。
【図１６】本発明の「金融パーツ・サマリ」を表示する画面の一実施形態を示す図である。
【図１７】本発明の一実施形態により合成パーツを生成する手段を説明するためのフローチャートである。
【図１８】本発明の「合成パーツ・サマリ」を表示する画面の一実施形態を示す図である。
【図１９】本発明の一実施形態により、初期金融ポートフォリオの生成手段を説明するためのフローチャートである。
【図２０】本発明の一実施形態により金融ポートフォリオの決定手段を説明するためのフローチャートである。
【図２１】本発明の「金融ポートフォリオ・サマリ」を表示する画面の一実施形態を示す図である。
【図２２】本発明の一実施形態により「シンセサイズド・ポートフォリオ」を生成する手段を説明するためのフローチャートである。
【図２３】本発明の「シンセサイズド・ポートフォリオの顧客データ」を入力する画面の一実施形態を示す図である。
【図２４】本発明の「シンセサイズド・ポートフォリオの金融商品名の入力／検索」を実行する画面の一実施形態を示す図である。
【図２５】本発明の一実施形態により金融ポートフォリオの更新手段を説明するためのフローチャートである。
【図２６】本発明の「金融ポートフォリオ／金融商品の保有明細」を表示する画面の一実施形態を示す図である。
【図２７】本発明の金融ポートフォリオを更新するために必要な金融パーツの売買一覧を表示する画面の一実施形態を示す図である。
【図２８】本発明の一実施形態により金融ポートフォリオの統合管理手段を説明するためのフローチャートである。
【図２９】本発明の一実施形態により金融ポートフォリオ／金融パーツの貸借／売買手段を説明するためのフローチャートである。
【図３０】本発明の金融パーツの保有明細を表示する画面の一実施形態を示す図である。
【図３１】本発明の「金融パーツ／金融ポートフォリオの貸借／売買サマリ」を表示する画面の一実施形態を示す図である。
【図３２】本発明の一実施形態により、金融パーツの前提条件を変更する手段を説明するためのフローチャートである。
【符号の説明】
【０１４０】
１００  −−−  金融ポートフォリオ生成システム
１０５  −−−  クライアント（端末）
１１０  −−−  コンサルティングサーバ
１１５  −−−  コンテンツサーバ
１２０  −−−  データベースサーバ
１２５  −−−  顧客データ
１３０  −−−  金融商品情報
１３５  −−−  データ更新サーバ
１４０  −−−  外部情報システム
【図１】
2007041901.tif 000007
【図２】
2007041901.tif 000008
【図３】
2007041901.tif 000009
【図４】
2007041901.tif 000010
【図５】
2007041901.tif 000011
【図６】
2007041901.tif 000012
【図７】
2007041901.tif 000013
【図８】
2007041901.tif 000014
【図９】
2007041901.tif 000015
【図１０】
2007041901.tif 000016
【図１１】
2007041901.tif 000017
【図１２】
2007041901.tif 000018
【図１３】
2007041901.tif 000019
【図１４】
2007041901.tif 000020
【図１５】
2007041901.tif 000021
【図１６】
2007041901.tif 000022
【図１７】
2007041901.tif 000023
【図１８】
2007041901.tif 000024
【図１９】
2007041901.tif 000025
【図２０】
2007041901.tif 000026
【図２１】
2007041901.tif 000027
【図２２】
2007041901.tif 000028
【図２３】
2007041901.tif 000029
【図２４】
2007041901.tif 000030
【図２５】
2007041901.tif 000031
【図２６】
2007041901.tif 000032
【図２７】
2007041901.tif 000033
【図２８】
2007041901.tif 000034
【図２９】
2007041901.tif 000035
【図３０】
2007041901.tif 000036
【図３１】
2007041901.tif 000037
【図３２】
2007041901.tif 000038